(57)【特許請求の範囲】
【請求項１】
入力ストリームを、複数の分割ストリームに分割する分割部と、
前記複数の分割ストリームのうちの１つの分割ストリームと、前記複数の分割ストリームを用いて構成される分割前の前記入力ストリームごとのユニークなシグネチャ情報とを含むストリームを生成する生成部とを備え、
前記生成部は、
DVB-S2で規定される拡張PL(Physical Layer)フレームのフォーマットで前記ストリームを生成し、
前記シグネチャ情報を、前記拡張PLフレームのフォーマットにおける拡張PLヘッダの情報ビットを用いて表現する
データ処理装置。
【請求項２】
前記生成部は、前記シグネチャ情報を、前記拡張PLフレームのフォーマットにおける拡張PLヘッダの情報ビットの未定義ビットを用いて表現する
請求項１に記載のデータ処理装置。
【請求項３】
前記生成部は、前記分割ストリームと、前記シグネチャ情報、及び、前記複数の分割ストリームのうちの、前記分割ストリームとは異なる他の分割ストリームが伝送される周波数帯域の情報であるロケーション情報とを含む前記ストリームを生成する
請求項１に記載のデータ処理装置。
【請求項４】
前記生成部は、前記シグネチャ情報、及び、前記ロケーション情報を、前記拡張PLフレームのフォーマットにおける拡張PLヘッダの情報ビットを用いて表現する
請求項３に記載のデータ処理装置。
【請求項５】
入力ストリームを、複数の分割ストリームに分割し、
前記複数の分割ストリームのうちの１つの分割ストリームと、前記複数の分割ストリームを用いて構成される分割前の前記入力ストリームごとのユニークなシグネチャ情報とを含むストリームを生成するステップを含み、
前記生成するステップの処理は、
DVB-S2で規定される拡張PL(Physical Layer)フレームのフォーマットで前記ストリームを生成し、
前記シグネチャ情報を、前記拡張PLフレームのフォーマットにおける拡張PLヘッダの情報ビットを用いて表現する
データ処理方法。
【請求項６】
入力ストリームを、複数の分割ストリームに分割する分割部と、
前記複数の分割ストリームのうちの１つの分割ストリームと、前記複数の分割ストリームを用いて構成される分割前の前記入力ストリームごとのユニークなシグネチャ情報とを含むストリームを生成する生成部と
を備える送信装置から送信されてくる前記ストリームより前記分割ストリームを復元する復元処理部と、
復元された前記複数の分割ストリームを用いて、前記入力ストリームを再構成する再構成部とを備え、
前記生成部は、
DVB-S2で規定される拡張PL(Physical Layer)フレームのフォーマットで前記ストリームを生成し、
前記シグネチャ情報を、前記拡張PLフレームのフォーマットの拡張PLヘッダの情報ビットを用いて表現し、
前記再構成部は、前記シグネチャ情報に基づいて、同一の前記入力ストリームから分割された前記複数の分割ストリームを用いて、前記入力ストリームを再構成する
データ処理装置。
【請求項７】
前記生成部は、前記シグネチャ情報を、前記拡張PLフレームのフォーマットの拡張PLヘッダの情報ビットの未定義ビットを用いて表現する
請求項６に記載のデータ処理装置。
【請求項８】
前記生成部は、前記分割ストリームと、前記シグネチャ情報、及び、前記複数の分割ストリームのうちの、前記分割ストリームとは異なる他の分割ストリームが伝送される周波数帯域の情報であるロケーション情報とを含む前記ストリームを生成する
請求項６に記載のデータ処理装置。
【請求項９】
前記生成部は、前記シグネチャ情報、及び、前記ロケーション情報を、前記拡張PLフレームのフォーマットの拡張PLヘッダの情報ビットを用いて表現する
請求項８に記載のデータ処理装置。
【請求項１０】
入力ストリームを、複数の分割ストリームに分割する分割部と、
前記複数の分割ストリームのうちの１つの分割ストリームと、前記複数の分割ストリームを用いて構成される分割前の前記入力ストリームごとのユニークなシグネチャ情報とを含むストリームを生成する生成部と
を備える送信装置から送信されてくる前記ストリームより前記分割ストリームを復元し、
復元された前記複数の分割ストリームを用いて、前記入力ストリームを再構成するステップを含み、
前記生成部は、
DVB-S2の拡張PL(Physical Layer)フレームのフォーマットで前記ストリームを生成し、
前記シグネチャ情報を、前記拡張PLフレームのフォーマットの拡張PLヘッダの情報ビットを用いて表現し、
前記再構成するステップは、前記シグネチャ情報に基づいて、同一の前記入力ストリームから分割された前記複数の分割ストリームを用いて、前記入力ストリームを再構成する
データ処理方法。
【発明の詳細な説明】
【技術分野】
【０００１】
本技術は、データ処理装置、及び、データ処理方法に関し、特に、例えば、ストリームを適切に処理することができるようにするデータ処理装置、及び、データ処理方法に関する。
【背景技術】
【０００２】
ディジタル放送の放送方式としては、例えば、欧州等で採用されているDVB(Digital Video Broadcasting)-S2等がある（非特許文献１）。
【先行技術文献】
【非特許文献】
【０００３】
【非特許文献１】DVB-S.2 : ETSI EN 302 307 V1.3.1 (2013-03)
【発明の概要】
【発明が解決しようとする課題】
【０００４】
ディジタル放送において、高データレートのストリームを伝送する技術の１つとして、送信側において、高データレートのストリームを、複数チャネルのストリームに分割して伝送し、受信側において、複数チャネルのストリームを、元の高データレートのストリームに再構成するCB(Channel Bonding)技術がある。【０００５】
現在、DVB-S2を改良した規格として、DVB-S2x（又は、DVB-S.2 evo）と呼ばれる規格が策定中であるが、DVB-S2xでは、CB技術の採用が検討されている。【０００６】
しかしながら、今のところ、CB技術については、詳細が定められていないため、DVB-S2x等のディジタル放送において、CB技術を採用しても、ストリームを適切に処理することができないおそれがある。【０００７】
本技術は、このような状況に鑑みてなされたものであり、ストリームを適切に処理することができるようにするものである。
【課題を解決するための手段】
【０００８】
本技術の第１のデータ処理装置は、入力ストリームを、複数の分割ストリームに分割する分割部と、前記複数の分割ストリームのうちの１つの分割ストリームと、前記複数の分割ストリームを用いて構成される分割前の前記入力ストリームごとのユニークなシグネチャ情報とを含むストリームを生成する生成部とを備え、前記生成部は、DVB-S2で規定される拡張PL(Physical Layer)フレームのフォーマットで前記ストリームを生成し、前記シグネチャ情報を、前記拡張PLフレームのフォーマットにおける拡張PLヘッダの情報ビットを用いて表現するデータ処理装置である。
【０００９】
本技術の第１のデータ処理方法は、入力ストリームを、複数の分割ストリームに分割し、前記複数の分割ストリームのうちの１つの分割ストリームと、前記複数の分割ストリームを用いて構成される分割前の前記入力ストリームごとのユニークなシグネチャ情報とを含むストリームを生成するステップを含み、前記生成するステップの処理は、DVB-S2で規定される拡張PL(Physical Layer)フレームのフォーマットで前記ストリームを生成し、前記シグネチャ情報を、前記拡張PLフレームのフォーマットにおける拡張PLヘッダの情報ビットを用いて表現するデータ処理方法である。
【００１０】
以上のような第１のデータ処理装置、及び、データ処理方法においては、入力ストリームが、複数の分割ストリームに分割され、前記複数の分割ストリームのうちの１つの分割ストリームと、前記複数の分割ストリームを用いて構成される分割前の前記入力ストリームごとのユニークなシグネチャ情報とを含むストリームが生成され、DVB-S2で規定される拡張PL(Physical Layer)フレームのフォーマットで前記ストリームが生成され、前記シグネチャ情報が、前記拡張PLフレームのフォーマットにおける拡張PLヘッダの情報ビットを用いて表現される。
【００１１】
本技術の第２のデータ処理装置は、入力ストリームを、複数の分割ストリームに分割する分割部と、前記複数の分割ストリームのうちの１つの分割ストリームと、前記複数の分割ストリームを用いて構成される分割前の前記入力ストリームごとのユニークなシグネチャ情報とを含むストリームを生成する生成部とを備える送信装置から送信されてくる前記ストリームより前記分割ストリームを復元する復元処理部と、復元された前記複数の分割ストリームを用いて、前記入力ストリームを再構成する再構成部とを備え、前記生成部は、DVB-S2で規定される拡張PL(Physical Layer)フレームのフォーマットでストリームを生成し、前記シグネチャ情報を、前記拡張PLフレームのフォーマットの拡張PLヘッダの情報ビットを用いて表現し、前記再構成部は、前記シグネチャ情報に基づいて、同一の前記入力ストリームから分割された前記複数の分割ストリームを用いて、前記入力ストリームを再構成するデータ処理装置である。
【００１２】
本技術の第２のデータ処理方法は、入力ストリームを、複数の分割ストリームに分割する分割部と、前記複数の分割ストリームのうちの１つの分割ストリームと、前記複数の分割ストリームを用いて構成される分割前の前記入力ストリームごとのユニークなシグネチャ情報とを含むストリームを生成する生成部とを備える送信装置から送信されてくる前記ストリームより前記分割ストリームを復元し、復元された前記複数の分割ストリームを用いて、前記入力ストリームを再構成するステップを含み、前記生成部は、DVB-S2の拡張PL(Physical Layer)フレームのフォーマットでストリームを生成し、前記シグネチャ情報を、前記拡張PLフレームのフォーマットの拡張PLヘッダの情報ビットを用いて表現し、前記再構成するステップは、前記シグネチャ情報に基づいて、同一の前記入力ストリームから分割された前記複数の分割ストリームを用いて、前記入力ストリームを再構成するデータ処理方法である。
【００１３】
以上のような第２のデータ処理装置、及び、データ処理方法においては、入力ストリームを、複数の分割ストリームに分割する分割部と、前記複数の分割ストリームのうちの１つの分割ストリームと、前記複数の分割ストリームを用いて構成される分割前の前記入力ストリームごとのユニークなシグネチャ情報とを含むストリームを生成する生成部とを備える送信装置から送信されてくる前記ストリームより前記分割ストリームが復元され、復元された前記複数の分割ストリームが用いられて、前記入力ストリームが再構成され、DVB-S2で規定される拡張PL(Physical Layer)フレームのフォーマットでストリームが生成され、前記シグネチャ情報が、前記拡張PLフレームのフォーマットの拡張PLヘッダの情報ビットを用いて表現され、前記シグネチャ情報に基づいて、同一の前記入力ストリームから分割された前記複数の分割ストリームが用いられて、前記入力ストリームが再構成される。
【００１４】
なお、データ処理装置は、独立した装置であっても良いし、１つの装置を構成している内部ブロックであっても良い。
【発明の効果】
【００１５】
本技術によれば、ストリームを適切に処理することができる。【００１６】
なお、ここに記載された効果は必ずしも限定されるものではなく、本開示中に記載されたいずれかの効果であってもよい。
【図面の簡単な説明】
【００１７】
【図１】本技術を適用した伝送システムの一実施の形態の構成例を示すブロック図である。
【図２】送信装置１１の構成例を示すブロック図である。
【図３】送信装置１１の処理（送信処理）を説明するフローチャートである。
【図４】受信装置１２の構成例を示すブロック図である。
【図５】受信装置１２の処理（受信処理）の例を説明するフローチャートである。
【図６】PLフレームのフォーマットを示す図である。
【図７】拡張PLヘッダのPLSに含まれる16ビットの情報ビットu0ないしu15を示す図である。
【図８】CBシグナリングの第１の例を示す図である。
【図９】CBシグナリングの第２の例を示す図である。
【図１０】CBシグナリングの第３の例を示す図である。
【図１１】入力ストリームを、2チャネルch#1及びch#2の分割ストリームに分割するCBが行われる場合のCBシグナリングの例を示す図である。
【図１２】本技術を適用したコンピュータの一実施の形態の構成例を示すブロック図である。
【発明を実施するための形態】
【００１８】
＜本技術を適用した伝送システムの一実施の形態＞
【００１９】
図１は、本技術を適用した伝送システム（システムとは、複数の装置が論理的に集合した物をいい、各構成の装置が同一筐体中にあるか否かは、問わない）の一実施の形態の構成例を示すブロック図である。
【００２０】
図１において、伝送システムは、送信装置１１と受信装置１２とから構成される。
【００２１】
送信装置１１は、例えば、テレビジョン放送の番組等の送信（ディジタル放送）（データ伝送）を行う。すなわち、送信装置１１は、例えば、番組としての画像データや音声データ等の、送信の対象である対象データのストリームを、CB技術により、複数チャネルのストリームに分割し、例えば、衛星回線や、地上波、ケーブル（有線回線）等の伝送路１３を介して送信（伝送）する。
【００２２】
受信装置１２は、送信装置１１から伝送路１３を介して送信されてくる複数チャネルのストリーム受信し、元のストリームを再構成して出力する。
【００２３】
なお、送信装置１１は、例えば、テレビジョン放送の放送局に対応し、受信装置１２は、例えば、各家庭のTV（テレビジョン受像機）に相当する。したがって、伝送システムにおいて、送信装置１１は、１つに限定されるものではなく、複数存在することができる。同様に、受信装置１２も、複数存在することができる。
【００２４】
＜送信装置１１の構成例＞
【００２５】
図２は、図１の送信装置１１の構成例を示すブロック図である。
【００２６】
図２において、送信装置１１は、スプリッタ２１、N個のバッファ２２1ないし２２N、N個のチャネル処理部２３1ないし２３N、シンボルクロック生成部２６、及び、時刻関連情報生成部２７を有する。
【００２７】
送信装置１１には、対象データのストリームである、例えば、複数のTS(Transport Stream)パケット・・・,#0,#1,・・・から構成される、100Mbps(Mega bit per second)等の高データレートのTSが、入力ストリームとして供給される。送信装置１１は、CB技術により、その入力ストリームを、複数チャネルとしてのN個（以下）のチャネルの分割ストリームに分割して送信する。
【００２８】
スプリッタ２１には、入力ストリームが供給される。スプリッタ２１は、そこに供給される入力ストリームを受信し、N個（以下）のチャネルch#1ないしch#Nの分割ストリームに分割する。
【００２９】
すなわち、スプリッタ２１は、入力ストリームのTSパケットを、N個のチャネルch#1ないしch#Nのうちの１のチャネルに分配するとともに、NP(Null Packet)を、他のすべてのチャネルに分配することを、入力ストリームの各TSパケットについて繰り返すことにより、入力ストリームを、N個のチャネルch#1ないしch#Nの分割ストリームに分割する。
【００３０】
そして、スプリッタ２１は、チャネル処理部２３nからの要求（パケットリクエスト）に応じて、チャネルch#n（n番目のチャネル）の分割ストリーム（のパケット）を、バッファ２２nに供給する。
【００３１】
バッファ２２nは、例えば、FIFO(First In First Out)であり、スプリッタ２１から供給されるチャネルch#nの分割ストリーム（のパケット）を、順次記憶し、さらに、記憶したチャネルch#nの分割ストリームを順次、チャネル処理部２３nに供給する。
【００３２】
チャネル処理部２３nは、バッファ２２nからのチャネルch#nの分割ストリームを処理し、その結果得られるチャネルch#nのチャネルストリームs#nを送信する。
【００３３】
チャネル処理部２３nは、同期部３１n、NP(Null Packet)削除部３２n、FEC(Forward Error Correction)部３３n、フレーム生成部３４n、及び、MOD(Modulation)部３５nを有する。
【００３４】
同期部３１nには、バッファ２２nから、チャネルch#nの分割ストリームが供給されるとともに、時刻関連情報生成部２７から、パケットの送信時刻等に関連する時刻関連情報としての、例えば、DVB-S2等に規定されているISSY(Input Stream SYnchronizer)の１つである、パケットの送信時刻を表すISCR(Input Stream Time Reference)等が供給される。
【００３５】
同期部３１nは、バッファ２２nからのチャネルch#nの分割ストリームの各パケットの最後に、そのパケットが同期部３１nに供給されたときに時刻関連情報生成部２７から供給されるISCRを付加し、その結果得られるストリームを、チャネルch#nの同期後ストリームとして、NP削除部３２nに供給する。
【００３６】
NP削除部３２nは、同期部３１nからのチャネルch#nの同期後ストリーム（各パケットに、ISCRが付加された分割ストリーム）から、NPを削除し、その結果得られるストリームを、チャネルch#nのNP削除ストリームとして、FEC部３３nに供給する。
【００３７】
ここで、以上のように、NP削除部３２nにおいて、同期後ストリームから、NPが削除されることで、その結果得られるNP削除ストリームのデータレートは、入力ストリームのデータレートから、削除されたNPの分だけ低下する。したがって、1チャネルのNP削除ストリームは、入力ストリームを伝送する場合よりも狭い伝送帯域で伝送することができる。
【００３８】
FEC部３３nは、例えば、NP削除部３２nから供給されるチャネルch#nのNP削除ストリームの1以上のパケットに、BB(Base Band)ヘッダを付加するとともに、DVB-T2等で規定されているインバンドシグナリング(in-band signalling)を必要に応じて付加することで、DVB-S2等で規定されているBBフレームのストリームを生成する。
【００３９】
さらに、FEC部３３nは、BBフレームを対象として、例えば、BCH符号化やLDPC符号化等の誤り訂正符号化を行う。
【００４０】
そして、FEC部３３nは、BBフレームに対する誤り訂正符号化の結果得られるチャネルch#nのFECフレームを、所定のビット数であるシンボルの単位で、所定の直交変調の変調方式で定めるコンスタレーション上の信号点にマッピングし、その結果得られるチャネルch#nのFECフレームのストリームを、フレーム生成部３４nに供給する。
【００４１】
フレーム生成部３４nは、例えば、DVB-S2のPL(Physical Layer)フレームの拡張PLヘッダを生成する。
【００４２】
ここで、拡張PLヘッダには、FEC部３３nでの誤り訂正符号化の符号化率(COD)、及び、FEC部３３nでのマッピングにおける直交変調の変調方式(MOD)を表すMODCODや、FEC部３３nでの誤り訂正符号化で得られる誤り訂正符号の符号長、及び、パイロット信号の有無を表すTYPEが含まれる。
【００４３】
さらに、拡張PLヘッダには、CBに関する情報である、後述するシグネチャ情報やロケーション情報をシグナリングするためのCBシグナリングが含まれる。
【００４４】
フレーム生成部３４nは、例えば、FEC部３３nから供給されるチャネルch#nのFECフレームに、拡張PLヘッダを付加すること等によって、拡張PLヘッダを有するPLフレーム（以下、拡張PLフレームともいう）のストリームを生成し、MOD部３５nに供給する。
【００４５】
MOD部３５nは、例えば、フレーム生成部３４nからのチャネルch#nの拡張PLフレームのストリームの直交変調を行い、その結果得られるチャネルch#nの伝送帯域（周波数帯域）の変調信号を、チャネルch#nのチャネルストリームs#nとして送信する。
【００４６】
シンボルクロック生成部２６は、シンボルのレートのクロックであるシンボルクロックを生成し、時刻関連情報生成部２７に供給する。
【００４７】
時刻関連情報生成部２７は、シンボルクロック生成部２６からのシンボルクロックに同期して、時刻関連情報としての、ISCR等のISSYを生成し、チャネル処理部２３1ないし２３N（の同期部３１1ないし３１N）に供給する。したがって、各時刻において、チャネル処理部２３1ないし２３Nのすべてには、同一のISCR等のISSYが供給される。
【００４８】
＜送信処理＞
【００４９】
図３は、図２の送信装置１１の処理（送信処理）を説明するフローチャートである。
【００５０】
ステップＳ１１において、スプリッタ２１は、そこに供給される入力ストリームの各TSパケットを、N個のチャネルch#1ないしch#Nのうちの１のチャネルに分配するとともに、NPを、他のすべてのチャネルに分配することにより、入力ストリームを、その入力ストリームのTSパケットとNPとが混在するN個のチャネルch#1ないしch#Nの分割ストリームに分割し、チャネルch#nの分割ストリームを、バッファ２２nに供給する。
【００５１】
バッファ２２nは、スプリッタ２１から供給されるチャネルch#nの分割ストリームを、順次記憶し、さらに、記憶したチャネルch#nの分割ストリームを順次、チャネル処理部２３nに供給して、処理は、ステップＳ１１からステップＳ１２に進む。
【００５２】
ステップＳ１２では、チャネル処理部２３nにおいて、同期部３１nが、バッファ２２nからのチャネルch#nの分割ストリームの各パケットの最後に、時刻関連情報生成部２７から供給されるISCRを付加し、その結果得られるストリームを、チャネルch#nの同期後ストリームとして、NP削除部３２nに供給して、処理は、ステップＳ１３に進む。
【００５３】
ステップＳ１３では、NP削除部３２nは、同期部３１nからのチャネルch#nの同期後ストリーム（各パケットに、ISCRが付加された分割ストリーム）から、NPを削除し、その結果得られるストリームを、チャネルch#nのNP削除ストリームとして、FEC部３３nに供給して、処理は、ステップＳ１４に進む。
【００５４】
ステップＳ１４では、FEC部３３nは、NP削除部３２nから供給されるチャネルch#nのNP削除ストリームの1以上のパケットに、BBヘッダを付加するとともに、インバンドシグナリングを必要に応じて付加することで、BBフレームのストリームを生成する。
【００５５】
さらに、FEC部３３nは、BBフレームを対象として、誤り訂正符号化を行い、その結果得られるチャネルch#nのFECフレームを、所定のビット数単位であるシンボル単位で、直交変調の変調方式で定めるコンスタレーション上のいずれかの信号点にマッピングする。そして、FEC部３３nは、マッピング後のチャネルch#nのFECフレームのストリームを、フレーム生成部３４nに供給して、処理は、ステップＳ１４からステップＳ１５に進む。
【００５６】
ステップＳ１５では、フレーム生成部３４nは、MODCOD，TYPE、及び、CBシグナリングを含む拡張PLヘッダを生成する。
【００５７】
さらに、フレーム生成部３４nは、FEC部３３nからのチャネルch#nのFECフレームに、拡張PLヘッダを付加することで、拡張PLフレームのストリームを生成し、MOD部３５nに供給して、処理は、ステップＳ１６に進む。
【００５８】
ステップＳ１６では、MOD部３５nは、フレーム生成部３４nからのチャネルch#nの拡張PLフレームのストリームを直交変調し、その結果得られるチャネルch#nの変調信号を、チャネルch#nのチャネルストリームs#nとして送信して、処理は終了する。
【００５９】
なお、図３の送信処理のステップＳ１１ないしＳ１６は、パイプラインで行われる。
【００６０】
以上のように、送信装置１１では、入力ストリームを、その入力ストリームのTSパケットとNPとが混在する複数であるN個のチャネルch#1ないしch#Nの分割ストリームに分割し、各チャネルch#nの分割ストリームに含まれるNPを削除することにより、NP削除ストリームにしてから送信する。
【００６１】
したがって、各チャネルch#nのNP削除ストリームのデータレートは、入力ストリームのデータレートから、削除されたNPの分だけ低下しており、高データレートの入力ストリームを、伝送帯域がそれほど広くない伝送路を複数用いて送信することができる。
【００６２】
さらに、チャネルch#nのNP削除ストリーム（から生成されるBBフレーム）を対象に誤り訂正符号化を行うFEC部３３nとして、処理速度がそれほど速くない回路を採用することができる。
【００６３】
＜受信装置１２の構成例＞
【００６４】
図４は、図１の受信装置１２の構成例を示すブロック図である。
【００６５】
図４において、受信装置１２は、N個のチャネル処理部５１1ないし５１N、マージ部５２、及び、制御部５３を有する。
【００６６】
チャネル処理部５１nは、送信装置１１から送信されてくるチャネルch#nのチャネルストリームs#nを受信して処理する。
【００６７】
すなわち、チャネル処理部５１nは、DMD(De-modulation)部６１n、ヘッダ抽出部６２n、FEC部６３n、NP挿入部６４n、及び、バッファ６５nを有する。
【００６８】
DMD部６１nは、送信装置１１から送信されてくるチャネルch#nのチャネルストリームs#nを受信し、そのチャネルch#nのチャネルストリームs#nを対象として、図２のMOD部３５nの変調に対応する復調を行う。そして、DMD部６１nは、復調の結果得られるチャネルch#nの復調信号としての拡張PLフレームのストリームを、ヘッダ抽出部６２nに供給する。
【００６９】
ヘッダ抽出部６２nは、DMD部６１nからの拡張PLフレーム（のストリーム）から、CBシグナリング等を含む拡張PLヘッダを抽出し、制御部５３に供給する。
【００７０】
さらに、ヘッダ抽出部６２nは、拡張PLフレーム（のストリーム）から、マッピング後のチャネルch#nのFECフレームを抽出し、FEC部６３nに供給する。
【００７１】
FEC部６３nは、ヘッダ抽出部６２nからのマッピング後のチャネルch#nのFECフレームのデマッピングを行う。さらに、FEC部６３nは、デマッピング後のチャネルch#nのFECフレームに対して、図２のFEC部３３nの誤り訂正符号化に対応する誤り訂正としての誤り訂正符号の復号を行うことで、図２のFEC部３３nで得られるBBフレームの形のNP削除ストリームを復元し、チャネルch#nの受信FEC後ストリームとして、NP挿入部６４nに供給する。
【００７２】
NP挿入部６４nは、FEC部６３nからのチャネルch#nの受信FEC後ストリームを、バッファ６５nに供給して記憶させる。
【００７３】
そして、NP挿入部６４nは、必要に応じて、バッファ６５nに記憶された受信FEC後ストリームのパケット、又は、NPを出力することで、受信FEC後ストリーム、すなわち、（BBフレームの形の）NP削除ストリームに、適宜、NPを挿入する。
【００７４】
これにより、NP挿入部６４nは、図２の同期部３１nからNP削除部３２に供給されるチャネルch#nの同期後ストリームを復元し、チャネルch#nのNP挿入ストリームとして、マージ部５２に供給する。
【００７５】
ここで、チャネルch#nのNP挿入ストリームは、同期部３１nからNP削除部３２nに供給されるチャネルch#nの同期後ストリームを復元したストリームであるため、チャネルch#nのNP挿入ストリームの各パケットの最後には、ISCRが付加されている。
【００７６】
バッファ６５nは、NP挿入部６４nの制御に従い、NP挿入部６４nから供給されるチャネルch#nの受信FEC後ストリームのパケットを一時記憶し、記憶したパケットを読み出す。
【００７７】
マージ部５２は、チャネル処理部５１1ないし５１NのNP挿入部６４1ないし６４Nから供給されるチャネルch#1ないしch#NのNP挿入ストリームそれぞれの各パケットの最後に付加されているISCRに基づき、チャネルch#1ないしch#NのNP挿入ストリームのパケットのうちの、NP挿入部６４1ないし６４Nで挿入されたNP以外のパケットを、ISCRが表す送信時刻順に並べることで、複数のTSパケット・・・,#0,#1,・・・から構成される入力ストリームを再構成して出力する。
【００７８】
制御部５３は、チャネル処理部５１n（のヘッダ抽出部６２n）から供給される拡張PLヘッダに含まれるMODCODや、TYPE、CBシグナリングに基づいて、チャネル処理部５１1ないし５１Nを制御する。
【００７９】
なお、送信装置１１（図２）では、NP削除部３２nが、チャネルch#nの同期後ストリームからNPを削除し、チャネルch#nのNP削除ストリームとするときに、そのチャネルch#nのNP削除ストリームの各パケットの先頭に、そのパケットと次のパケットとの間から削除したNPの数を表す、例えば、1バイトのDNP(Deleted Null Packets)を付加する。受信装置１２において、NP挿入部６４nは、受信FEC後ストリーム、すなわち、（BBフレームの形の）NP削除ストリームに対して、DNPが表す数のNPを挿入する。
【００８０】
＜受信処理＞
【００８１】
図５は、図４の受信装置１２の処理（受信処理）の例を説明するフローチャートである。
【００８２】
ステップＳ２１において、チャネル処理部５１nのDMD部６１nが、送信装置１１から送信されてくるチャネルch#nのチャネルストリームs#nを受信して復調し、その復調の結果得られるチャネルch#nの復調信号としての拡張PLフレームのストリームを、ヘッダ抽出部６２nに供給して、処理は、ステップ２２に進む。
【００８３】
ステップＳ２２では、ヘッダ抽出部６２nは、DMD部６１nからの拡張PLフレーム（のストリーム）から、拡張PLヘッダと、マッピング後のチャネルch#nのFECフレームを抽出（分離）する。
【００８４】
そして、ヘッダ抽出部６２nは、拡張PLヘッダを、制御部５３に供給するとともに、マッピング後のチャネルch#nのFECフレームを、FEC部６３nに供給して、処理は、ステップＳ２３に進む。
【００８５】
ステップＳ２３では、制御部５３は、ヘッダ抽出部６２nからの拡張PLヘッダに含まれるMODCODや、TYPE、CBシグナリングに基づいて、チャネル処理部５１1ないし５１Nを制御し、処理は、ステップＳ２４に進む。
【００８６】
ステップＳ２４では、FEC部６３nは、ヘッダ抽出部６２nからのマッピング後のチャネルch#nのFECフレームのデマッピングを行う。さらに、FEC部６３nは、デマッピング後のチャネルch#nのFECフレームに対して、誤り訂正を行うことで、BBフレームの形のNP削除ストリームを復元し、チャネルch#nの受信FEC後ストリームとして、NP挿入部６４nに供給して、処理は、ステップＳ２５に進む。
【００８７】
ステップＳ２５では、NP挿入部６４nは、FEC部６３nからのチャネルch#nの受信FEC後ストリームを、バッファ６５nに供給して記憶させる。さらに、NP挿入部６４nは、バッファ６５nに記憶された受信FEC後ストリームのパケット、又は、NPを出力することで、受信FEC後ストリーム（（BBフレームの形の）NP削除ストリーム）に、適宜、NPを挿入した形のチャネルch#nの同期後ストリームを復元し、チャネルch#nのNP挿入ストリームとして、マージ部５２に供給する。
【００８８】
そして、処理は、ステップＳ２５からステップＳ２６に進み、マージ部５２は、NP挿入部６４1ないし６４Nから供給されるチャネルch#1ないしch#NのNP挿入ストリームそれぞれの各パケットの最後に付加されているISCRに基づき、複数のTSパケット・・・,#0,#1,・・・から構成される入力ストリームを再構成して出力し、処理は終了する。
【００８９】
なお、図５のステップＳ２１ないしＳ２６の処理は、パイプラインで行われる。
【００９０】
ところで、いま、図１の伝送システムにおいて、例えば、5つの送信装置１１が存在し、各送信装置１１において、例えば、入力ストリームが、2チャネルの分割ストリームに分割され、その2チャネルの分割ストリームから得られる2チャネルのチャネルストリームs#1及びs#2が送信されることとする。
【００９１】
さらに、５つの送信装置１１のそれぞれは、例えば、10個の伝送帯域のうちの、重複しない2個の伝送帯域によって、それぞれ別個の入力ストリームから得られた2チャネルのチャネルストリームs#1及びs#2を送信することとする。
【００９２】
この場合、チャネルストリームにCBシグナリングが含まれないときには、受信装置１２において、10個の伝送帯域それぞれで送信されてくるチャネルストリームが、いずれの入力ストリームの再構成に必要なチャネルストリームであるのかを認識することができない。
【００９３】
そのため、受信装置１２では、所望の入力ストリームを得るために、例えば、10個の伝送帯域から2個の伝送帯域を選択する組み合わせの数10C2=45通りだけの2個の伝送帯域の組み合わせそれぞれについて、2チャネルのチャネルストリームを受信し、入力ストリームとしてのTSを再構成してみて、正確なSI(Service Information)を得ることができたかどうかを確認することによって、所望の入力ストリーム（を構成する2チャネルの分割ストリーム（から得られるチャネルストリーム））を受信することができたかどうかを判定する必要が生じる。
【００９４】
以上のように、受信装置１２において、10個の伝送帯域の中から選択し得る2個の伝送帯域のすべての組み合わせについて、チャネルストリームを受信し、入力ストリームとしてのTSを再構成してみて、正確なSIを得ることができたかどうかを確認するのでは、所望の入力ストリームを得るのに、多大な時間を要することになり、ストリームを適切に処理しているとは言い難い。
【００９５】
そこで、本技術では、チャネルストリームに、CBに関するCBシグナリングを含めることで、入力ストリームとしてのTSを再構成しなくても、ある入力ストリームを構成する分割ストリーム（から得られたチャネルストリーム）を認識し、適切に処理することができるようになっている。
【００９６】
CBシグナリングは、例えば、拡張PLフレームの拡張PLヘッダに含めることができる。
【００９７】
＜拡張PLフレーム＞
【００９８】
図６は、PLフレームのフォーマットを示す図である。
【００９９】
図６のＡは、DVB-S2で規定されているPLフレーム（拡張PLフレームでないPLフレーム）のフォーマットを示している。
【０１００】
PLフレームは、1スロットのPLヘッダ(PLHEADER)、スロットに分割されたFECフレーム(XFECFRAME)、及び、必要なパイロットブロック(Pilot block)を有する。
【０１０１】
1スロットは、90シンボルで構成される。
【０１０２】
1スロットのPLヘッダは、26シンボルのSOF(Start of Frame)と、64シンボルのPLS (Physical Layer Signalling)とから構成される。
【０１０３】
PLヘッダのPLSには、7ビットの情報ビットが含まれる。PLヘッダのPLSに含まれる7ビットの情報ビットのうちの5ビットは、（スロットに分割されたFECフレームの）MODCODを表し、残りの2ビットは、TYPEを表す。
【０１０４】
図６のＢは、DVB-S2で規定されている拡張PLフレームのフォーマットを示している。
【０１０５】
拡張PLフレームでは、図６のＡのPLフレームの1スロットのPLヘッダが、2スロットの拡張PLヘッダに拡張されている。
【０１０６】
2スロットのPLヘッダは、26シンボルのSOFと、154シンボルのPLS とから構成される。
【０１０７】
拡張PLヘッダのPLSには、16ビットの情報ビットが含まれる。
【０１０８】
ここで、拡張PLヘッダのPLSに含まれる16ビットの情報ビットの各ビットを、最上位ビットから、u0，u1，・・・，u15と表すこととする。
【０１０９】
16ビットの情報ビットu0ないしu15のうちの上位8ビットu0ないしu7については、DVB-S2xにおいて、既に、用途が定義されている。
【０１１０】
すなわち、上位8ビットu0ないしu7のうちの6ビットu0ないしu5は、MODCODを表し、残りの2ビットは、TYPEを表す。
【０１１１】
拡張PLヘッダのPLSに含まれる16ビットの情報ビットu0ないしu15のうちの下位8ビットu8ないしu15については、DVB-S2xにおいて、いまのところ、未定義になっており、したがって、この下位8ビットu8ないしu15は、CBシグナリングとして用いることができる。
【０１１２】
＜CBシグナリング＞
【０１１３】
図７は、下位8ビットu8ないしu15を、CBシグナリングとして用いる、拡張PLヘッダのPLSに含まれる16ビットの情報ビットu0ないしu15を示す図である。
【０１１４】
以下では、図７に示すように、拡張PLヘッダのPLSに含まれる16ビットの情報ビットu0ないしu15のうちの、CBシグナリングとしての下位8ビットu8ないしu15の各ビットを、最上位ビットから、s0，s1，・・・，s7と表す。
【０１１５】
図８は、CBシグナリングの第１の例を示す図である。
【０１１６】
第１の例のCBシグナリングのビットs0は、CBが行われているかどうかを表す。
【０１１７】
例えば、CBが行われている場合、すなわち、拡張PLフレームに含まれる（FECフレームとなった）ストリームが、入力ストリームを分割した分割ストリームである場合、ビットs0は、例えば、1に設定される。
【０１１８】
また、CBが行われていない場合、すなわち、拡張PLフレームに含まれるストリームが、入力ストリームである場合（分割ストリームではない場合）、ビットs0は、例えば、0に設定される。
【０１１９】
CBが行われておらず、ビットs0が0である場合、ビットs1ないしs7は、未使用（未定義）となる。
【０１２０】
CBが行われており、ビットs0が1である場合、ビットs1ないしs7は、拡張PLフレームに含まれる（FECフレームとなった）分割ストリームを用いて構成される入力ストリームごとにユニークなシグネチャ情報を表す。
【０１２１】
シグネチャ情報は、例えば、入力ストリームを識別する識別情報として機能する情報であり、ある入力ストリームを分割して得られた複数チャネルの分割ストリームには、その入力ストリームの識別情報が、シグネチャ情報として用いられる。
【０１２２】
ある入力ストリームを分割して得られた複数チャネルの分割ストリームが含まれる拡張PLフレームのシグネチャ情報は、同一の値（情報）になっており、したがって、受信装置１２では、同一のシグネチャ情報が含まれる拡張PLフレームが得られる伝送帯域のチャネルストリームを受信することで、ある入力ストリームを再構成する分割ストリームを得て、入力ストリームを再構成するのに適切に処理することができる。
【０１２３】
なお、第１の例のCBシグナリングでは、シグネチャ情報は、ビットs1ないしs7の7ビットであり、かかる7ビットのシグネチャ情報によれば、27=128個の入力ストリーム（それぞれを構成する分割ストリーム）を識別することができる。
【０１２４】
図９は、CBシグナリングの第２の例を示す図である。
【０１２５】
なお、図９では、CBにおいて、入力ストリームを分割ストリームに分割するチャネルの数Nが、2チャネル及び3チャネルのうちのいずれかであるとする。
【０１２６】
第２の例のCBシグナリングのビットs0及びs1は、CBが行われているかどうかと、CBが行われている場合には、入力ストリームを構成する他の分割ストリームが伝送される伝送帯域（周波数帯域）のロケーション情報とを表す。
【０１２７】
ここで、ある拡張PLフレームを、注目する注目フレームとして、その注目フレーム（のチャネルストリーム）が伝送されている伝送帯域を、注目帯域ともいい、注目フレームに含まれる分割フレームを用いて再構成される入力ストリームを、注目入力ストリームともいうこととする。
【０１２８】
注目入力ストリームを構成する、注目フレームに含まれる分割ストリーム以外の他の分割ストリーム（から得られるチャネルストリーム）は、注目帯域以外の伝送帯域で送信（伝送）されるが、注目フレームに含まれるCBシグナリングにおけるロケーション情報は、その伝送帯域、すなわち、他の分割ストリームの伝送帯域の位置を表す。
【０１２９】
CBが行われている場合、ビットs0,s1は、例えば、0,0以外の値に設定される。
【０１３０】
すなわち、入力ストリームを、2チャネルの分割ストリームに分割するCBが行われており、注目フレームに含まれるチャネルの分割ストリームでない方のチャネルの分割ストリーム（他の分割ストリーム）が、注目帯域よりも周波数が高い伝送帯域で送信される場合には、ビットs0,s1は、例えば、0,1に設定される。
【０１３１】
また、入力ストリームを、2チャネルの分割ストリームに分割するCBが行われており、注目フレームに含まれるチャネルの分割ストリームでない方のチャネルの分割ストリームが、注目帯域よりも周波数が低い伝送帯域で送信される場合には、ビットs0,s1は、例えば、1,0に設定される。
【０１３２】
さらに、入力ストリームを、3チャネルの分割ストリームに分割するCBが行われている場合には、ビットs0,s1は、例えば、1,1に設定される。
【０１３３】
なお、第２の例のCBシグナリングでは、入力ストリームを、3チャネルの分割ストリームに分割するCBが行われている場合のビットs0,s1=1,1には、他の2チャネルの分割ストリームのロケーション情報は、含まれない。
【０１３４】
ここで、第２の例のCBシグナリングのビットs0,s1は、CBが行われているかどうかと、ロケーション情報との他、分割ストリームのチャネル数N（ここでは、Nは2又は3）を表しているということができる。
【０１３５】
一方、CBが行われていない場合、ビットs0,s1は、例えば、0,0に設定される。
【０１３６】
CBが行われておらず、ビットs0,s1が0,0ある場合、ビットs2ないしs7は、未使用となる。
【０１３７】
CBが行われており、ビットs0,s1が0,0以外の値である場合、ビットs2ないしs7は、シグネチャ情報を表す。
【０１３８】
第２の例のCBシグナリングでは、シグネチャ情報は、ビットs2ないしs7の6ビットであり、かかる6ビットのシグネチャ情報によれば、26=64個の入力ストリーム（それぞれを構成する分割ストリーム）を識別することができる。
【０１３９】
図１０は、CBシグナリングの第３の例を示す図である。
【０１４０】
なお、図１０でも、図９の場合と同様に、CBにおいて、入力ストリームを分割ストリームに分割するチャネル数Nが、2チャネル及び3チャネルのうちのいずれかであるとする。
【０１４１】
第３の例のCBシグナリングのビットs0，s1、及び、s2は、CBが行われているかどうかと、CBが行われている場合には、入力ストリームを構成する他の分割ストリームが伝送される伝送帯域のロケーション情報とを表す。
【０１４２】
CBが行われている場合、ビットs0,s1,s2は、例えば、0,0,0以外の値に設定される。
【０１４３】
すなわち、入力ストリームを、2チャネルの分割ストリームに分割するCBが行われており、注目フレームに含まれるチャネルの分割ストリームでない方のチャネルの分割ストリーム（他の分割ストリーム）が、注目帯域よりも周波数が高い伝送帯域で送信される場合には、ビットs0,s1,s2は、例えば、0,0,1に設定される。
【０１４４】
また、入力ストリームを、2チャネルの分割ストリームに分割するCBが行われており、注目フレームに含まれるチャネルの分割ストリームでない方のチャネルの分割ストリームが、注目帯域よりも周波数が低い伝送帯域で送信される場合には、ビットs0,s1,s2は、例えば、0,1,0に設定される。
【０１４５】
さらに、入力ストリームを、3チャネルの分割ストリームに分割するCBが行われており、注目フレームに含まれるチャネルの分割ストリームでない他の2チャネルの分割ストリームが、いずれも、注目帯域よりも周波数が高い伝送帯域で送信される場合には、ビットs0,s1,s2は、例えば、1,0,1に設定される。
【０１４６】
また、入力ストリームを、3チャネルの分割ストリームに分割するCBが行われており、注目フレームに含まれるチャネルの分割ストリームでない他の2チャネルの分割ストリームが、いずれも、注目帯域よりも周波数が低い伝送帯域で送信される場合には、ビットs0,s1,s2は、例えば、1,1,0に設定される。
【０１４７】
さらに、入力ストリームを、3チャネルの分割ストリームに分割するCBが行われており、注目フレームに含まれるチャネルの分割ストリームでない他の2チャネルの分割ストリームのうちの一方の分割ストリームが、注目帯域よりも周波数が低い伝送帯域で送信され、他方の分割ストリームが、注目帯域よりも周波数が高い伝送帯域で送信される場合には、ビットs0,s1,s2は、例えば、1,1,1に設定される。
【０１４８】
以上から、第３の例のCBシグナリングのビットs0,s1,s2は、CBが行われているかどうかと、ロケーション情報との他、分割ストリームのチャネル数N（ここでは、Nは2又は3）を表しているということができる。
【０１４９】
なお、図１０では、ビットs0,s1,s2については、0,1,1、及び、1,0,0は、未使用になっている。したがって、図１０では、CBシグナリングとしての8ビットs0ないしs7の中で、上位3ビットs0,s1,s2が0,1,1になっている8ビット、及び、上位3ビットs0,s1,s2が1,0,0になっている8ビットは、使用されない。
【０１５０】
一方、CBが行われていない場合、ビットs0,s1,s2は、例えば、0,0,0に設定される。
【０１５１】
CBが行われておらず、ビットs0,s1,s2が0,0,0ある場合、ビットs2ないしs7は、未使用となる。
【０１５２】
CBが行われており、ビットs0,s1,s2が0,0,0以外の値（但し、図１０では、0,1,1、及び、1,0,0を除く）である場合、ビットs3ないしs7は、シグネチャ情報を表す。
【０１５３】
第３の例のCBシグナリングでは、シグネチャ情報は、ビットs3ないしs7の5ビットであり、かかる5ビットのシグネチャ情報によれば、25=32個の入力ストリーム（それぞれを構成する分割ストリーム）を識別することができる。
【０１５４】
送信装置１１では、フレーム生成部３４nが、以上のようなCBシグナリングを含む拡張PLヘッダを生成し、FECフレームに付加することで、拡張PLフレームを生成する。
【０１５５】
一方、受信装置１２では、制御部５３が、あるチャネルch#nのチャネル処理部５１nのヘッダ抽出部６２nから供給される拡張PLヘッダに含まれるCBシグナリングに基づき、CBが行われているかどうかを認識する。
【０１５６】
すなわち、第１の例のCBシグナリングが採用される場合には、ビットs0が1である場合には、CBが行われており、ビットs0が0である場合には、CBが行われていないと認識される。
【０１５７】
また、第２の例のCBシグナリングが採用される場合には、ビットs0,s1が0,0以外の値である場合には、CBが行われており、ビットs0,s1が0,0である場合には、CBが行われていないと認識される。
【０１５８】
さらに、第３の例のCBシグナリングが採用される場合には、ビットs0,s1,s2が0,0,0以外の値である場合には、CBが行われており、ビットs0,s1,s2が0,0,0である場合には、CBが行われていないと認識される。
【０１５９】
そして、CBが行われている場合には、制御部５３は、チャネル処理部５１nがチャネルストリームを受信している伝送帯域以外の伝送帯域から、チャネルストリームを受信し、チャネル処理部５１n（のヘッダ抽出部６２n）からの拡張PLヘッダに含まれるCBシグナリングが表すシグネチャ情報と同一のシグネチャ情報を表すCBシグナリングを含むチャネルストリームを検索するように、他のチャネルch#n'のチャネル処理部５１n'を制御する。
【０１６０】
これにより、他のチャネルch#n'のチャネル処理部５１n'では、チャネル処理部５１nが受信しているチャネルストリームから得られる分割ストリームとともに入力ストリームを構成する他の分割ストリーム（が得られるチャネルストリーム）が受信される。
【０１６１】
なお、第２及び第３の例のCBシグナリングには、シグネチャ情報の他、ロケーション情報が含まれるので、そのロケーション情報により、チャネル処理部５１nが受信している（チャネルストリームから得られる）分割ストリームとともに入力ストリームを構成する他の分割ストリームが送信されてくる伝送帯域が、チャネル処理部５１nが分割ストリームを受信している伝送帯域（注目帯域）よりも、高い周波数の伝送帯域であるか、又は、低い周波数の伝送帯域であるのかを認識することができる。その結果、他のチャネルch#n'のチャネル処理部５１n'では、チャネル処理部５１nが受信している分割ストリームとともに入力ストリームを構成する他の分割ストリームを、迅速に検索することができる。
【０１６２】
図１１は、第２の例のCBシグナリングを採用し、入力ストリームを、2チャネルch#1及びch#2の分割ストリームに分割するCBが行われる場合のCBシグナリングの例を示す図である。
【０１６３】
第２の例のCBシグナリングのビットs2ないしs7は、図９で説明したように、シグネチャ情報を表す。図１１では、同一の入力ストリームから分割された2チャネルch#1及びch#2の分割ストリームについて、シグネチャ情報（CBシグナリングのビットs2ないしs7）は、同一の値の、例えば、111100になっている。
【０１６４】
また、図１１では、チャネルch#1のCBシグナリングのビットs0,s1は、0,1になっている。
【０１６５】
図９で説明したように、チャネルch#1のCBシグナリングのビットs0,s1が0,1であることは、入力ストリームを、2チャネルch#1及びch#2の分割ストリームに分割するCBが行われており、チャネルch#1から見て他のチャネルch#2が、チャネルch#1の伝送帯域よりも周波数が高い伝送帯域であることを表す。
【０１６６】
さらに、図１１では、チャネルch#2のCBシグナリングのビットs0,s1は、1,0になっている。
【０１６７】
図９で説明したように、チャネルch#2のCBシグナリングのビットs0,s1が1,0であることは、入力ストリームを、2チャネルch#1及びch#2の分割ストリームに分割するCBが行われており、チャネルch#2から見て他のチャネルch#1が、チャネルch#2の伝送帯域よりも周波数が低い伝送帯域であることを表す。
【０１６８】
受信装置１２において、チャネルch#1及びch#2のうちの、例えば、チャネルch#1が、先に受信された場合、チャネルch#1のCBシグナリングに基づき、シグネチャ情報が111100のチャネルch#2が、チャネルch#1の伝送帯域よりも高い伝送帯域を対象に検索される。
【０１６９】
一方、受信装置１２において、チャネルch#1及びch#2のうちの、例えば、チャネルch#2が、先に受信された場合、チャネルch#2のCBシグナリングに基づき、シグネチャ情報が111100のチャネルch#1が、チャネルch#2の伝送帯域よりも低い伝送帯域を対象に検索される。
【０１７０】
＜本技術を適用したコンピュータの説明＞
【０１７１】
次に、上述した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０１７２】
そこで、図１２は、上述した一連の処理を実行するプログラムがインストールされるコンピュータの一実施の形態の構成例を示している。
【０１７３】
プログラムは、コンピュータに内蔵されている記録媒体としてのハードディスク１０５やROM１０３に予め記録しておくことができる。
【０１７４】
あるいはまた、プログラムは、リムーバブル記録媒体１１１に格納（記録）しておくことができる。このようなリムーバブル記録媒体１１１は、いわゆるパッケージソフトウエアとして提供することができる。ここで、リムーバブル記録媒体１１１としては、例えば、フレキシブルディスク、CD-ROM(Compact Disc Read Only Memory)，MO(Magneto Optical)ディスク，DVD(Digital Versatile Disc)、磁気ディスク、半導体メモリ等がある。
【０１７５】
なお、プログラムは、上述したようなリムーバブル記録媒体１１１からコンピュータにインストールする他、通信網や放送網を介して、コンピュータにダウンロードし、内蔵するハードディスク１０５にインストールすることができる。すなわち、プログラムは、例えば、ダウンロードサイトから、ディジタル衛星放送用の人工衛星を介して、コンピュータに無線で転送したり、LAN(Local Area Network)、インターネットといったネットワークを介して、コンピュータに有線で転送することができる。
【０１７６】
コンピュータは、CPU(Central Processing Unit)１０２を内蔵しており、CPU１０２には、バス１０１を介して、入出力インタフェース１１０が接続されている。
【０１７７】
CPU１０２は、入出力インタフェース１１０を介して、ユーザによって、入力部１０７が操作等されることにより指令が入力されると、それに従って、ROM(Read Only Memory)１０３に格納されているプログラムを実行する。あるいは、CPU１０２は、ハードディスク１０５に格納されたプログラムを、RAM(Random Access Memory)１０４にロードして実行する。
【０１７８】
これにより、CPU１０２は、上述したフローチャートにしたがった処理、あるいは上述したブロック図の構成により行われる処理を行う。そして、CPU１０２は、その処理結果を、必要に応じて、例えば、入出力インタフェース１１０を介して、出力部１０６から出力、あるいは、通信部１０８から送信、さらには、ハードディスク１０５に記録等させる。
【０１７９】
なお、入力部１０７は、キーボードや、マウス、マイク等で構成される。また、出力部１０６は、LCD(Liquid Crystal Display)やスピーカ等で構成される。
【０１８０】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０１８１】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０１８２】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１８３】
なお、本技術の実施の形態は、上述した実施の形態に限定されるものではなく、本技術の要旨を逸脱しない範囲において種々の変更が可能である。
【０１８４】
例えば、本技術は、１つの機能をネットワークを介して複数の装置で分担、共同して処理するクラウドコンピューティングの構成をとることができる。
【０１８５】
また、上述のフローチャートで説明した各ステップは、１つの装置で実行する他、複数の装置で分担して実行することができる。
【０１８６】
さらに、１つのステップに複数の処理が含まれる場合には、その１つのステップに含まれる複数の処理は、１つの装置で実行する他、複数の装置で分担して実行することができる。
【０１８７】
なお、本実施の形態では、入力ストリームとして、TSを採用したが、入力ストリームとしては、TS以外の複数パケットで構成されるストリームを採用することができる。
【０１８８】
また、本実施の形態では、スプリッタ２１において、入力ストリームを分割するときに、NPを挿入し、その後、NP削除部３２nにおいて、NPを削除することとしたが、スプリッタ２１では、NPを挿入せずに、入力ストリームを分割することができる。この場合、チャネル処理部２３nは、NP削除部３２nを設けずに構成することができる。
【０１８９】
さらに、本実施の形態では、同期部３１nにおいて、分割ストリームの各パケットに、ISCRを付加することとしたが、ISCRは、分割ストリームの一部のパケットだけに付加することや、付加しないことができる。ISCRを付加しない場合には、チャネル処理部２３nは、同期部３１nを設けずに構成することができる。
【０１９０】
また、本実施の形態では、入力ストリームを、パケット単位で分割することとしたが、入力ストリームは、その他の単位、すなわち、例えば、BBフレームや、FECフレーム、PLP(Physical Layer Pipe)等の所定の単位で分割することができる。
【０１９１】
さらに、本実施の形態では、拡張PLフレームを生成し、その拡張PLフレームの拡張PLヘッダに、CBシグナリングを含めることとしたが、CBシグナリングは、その他、例えば、T2/C2フレームを構成し、そのT2/C2フレームのヘッダに含めることできる。また、DVB-S2では、ダミーPLフレーム(DummyPLFRAME)を送信することができるが、CBシグナリングは、ダミーPLフレームに含めることができる。
【０１９２】
さらに、本実施の形態では、ロケーション情報として、他の分割ストリームの伝送帯域が、注目帯域よりも高いか、又は、低いかを表す情報を採用したが、ロケーション情報としては、その他、例えば、他の分割ストリームの伝送帯域が、注目帯域よりも、x個分の伝送帯域だけ高い、又は、低い帯域であることを表すx等の、他の分割ストリームの伝送帯域の、より具体的な位置を表す情報を採用することができる。
【０１９３】
また、本明細書に記載された効果はあくまで例示であって限定されるものではなく、他の効果があってもよい。
【符号の説明】
【０１９４】
１１  送信装置，  １２  受信装置，  １３  伝送路，  ２１  スプリッタ，  ２２1ないし２２N  バッファ，  ２３1ないし２３N  チャネル処理部，  ２６  シンボルクロック生成部，  ２７  時刻関連情報生成部，  ３１1ないし３１N  同期部，  ３２1ないし３２N  NP削除部，  ３３1ないし３３N  FEC部，  ３５1ないし３５N  MOD部，  ５１1ないし５１N  チャネル処理部，  ５２  マージ部，  ６１1ないし６１N  DMD部，  ６３1ないし６３N  FEC部，  ６４1ないし６４N  NP挿入部，  ６５1ないし６５N，  １０１  バス，  １０２  CPU，  １０３  ROM，  １０４  RAM，  １０５  ハードディスク，  １０６  出力部，  １０７  入力部，  １０８  通信部，  １０９  ドライブ，  １１０  入出力インタフェース，  １１１  リムーバブル記録媒体
【図１】
0006504407.tif 000002
【図２】
0006504407.tif 000003
【図３】
0006504407.tif 000004
【図４】
0006504407.tif 000005
【図５】
0006504407.tif 000006
【図６】
0006504407.tif 000007
【図７】
0006504407.tif 000008
【図８】
0006504407.tif 000009
【図９】
0006504407.tif 000010
【図１０】
0006504407.tif 000011
【図１１】
0006504407.tif 000012
【図１２】
0006504407.tif 000013